【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
情報の取得処理を行う情報取得部と、
前記情報取得部により取得された情報に基づいて処理を行う処理部と、
を含み、
前記情報取得部は、
ユーザーの脈波情報により表される値が所与の脂肪燃焼ゾーン内の値となる時間を表す滞在時間情報と、前記ユーザーの身体情報と、前記ユーザーの減量に関する目標情報のうちの少なくとも２つの情報の前記取得処理を行い、
前記処理部は、
前記情報取得部が取得した前記少なくとも２つの情報に基づいて、減量に関するアドバイス情報を作成する処理を行うことを特徴とする情報処理システム。
【請求項２】
請求項１において、
前記処理部は、
前記ユーザーの体重又は体脂肪量の変動と前記滞在時間情報との関係を表す関係式と、前記情報取得部が取得した前記少なくとも２つの情報に基づいて、減量に関する前記アドバイス情報を作成する処理を行うことを特徴とする情報処理システム。
【請求項３】
請求項２において、
所与の期間での前記滞在時間情報の積算値に対応する値をＴ＿ｚｏｎｅとし、前記所与の期間での前記ユーザーの前記体重又は前記体脂肪量の変動量をＷとし、脂肪燃焼係数をＫｆａｔとした場合に、
前記関係式は、
Ｔ＿ｚｏｎｅ×Ｋｆａｔ＝Ｗ
であることを特徴とする情報処理システム。
【請求項４】
請求項２又は３において、
前記情報取得部は、
前記滞在時間情報と、前記身体情報の前記取得処理を行い、
前記処理部は、
前記滞在時間情報と、前記身体情報と、前記関係式とに基づいて、前記ユーザーの摂取カロリーに関する前記アドバイス情報を作成する処理を行うことを特徴とする情報処理システム。
【請求項５】
請求項４において、
前記情報取得部は、
アドバイス期間内の所与のアドバイスタイミングまでの前記滞在時間情報の前記取得処理を行うとともに、前記アドバイスタイミングまでの前記ユーザーの前記体重又は前記体脂肪量の実測値を前記身体情報として取得する前記取得処理を行い、
前記処理部は、
前記滞在時間情報と前記関係式に基づいて、前記滞在時間情報に対応する前記アドバイスタイミングでの前記体重又は前記体脂肪量の推定値を求め、求めた前記推定値と前記実測値との比較処理に基づいて、前記摂取カロリーに関する前記アドバイス情報を作成する処理を行うことを特徴とする情報処理システム。
【請求項６】
請求項２乃至５のいずれかにおいて、
前記情報取得部は、
前記滞在時間情報と、前記目標情報の前記取得処理を行い、
前記処理部は、
前記滞在時間情報と、前記目標情報と、前記関係式とに基づいて、前記ユーザーの運動量に関する前記アドバイス情報を作成する処理を行うことを特徴とする情報処理システム。
【請求項７】
請求項６において、
前記情報取得部は、
アドバイス期間内の所与のアドバイスタイミングまでの前記滞在時間情報の前記取得処理を行うとともに、前記アドバイスタイミングより前に設定された、前記アドバイスタイミングでの前記ユーザーの前記体重又は前記体脂肪量の目標値を前記目標情報として取得する前記取得処理を行い、
前記処理部は、
前記滞在時間情報と前記関係式に基づいて、前記滞在時間情報に対応する前記体重又は前記体脂肪量の推定値を求め、求めた前記推定値と前記目標値との比較処理に基づいて、前記運動量に関する前記アドバイス情報を作成する処理を行うことを特徴とする情報処理システム。
【請求項８】
請求項５又は７において、
前記情報取得部は、
前記アドバイスタイミングにおける前記ユーザーの前記体重又は前記体脂肪量の現在値を前記身体情報として取得する前記取得処理を行うとともに、前記ユーザーの前記体重又は前記体脂肪量の目標値、及び前記目標値を達成するまでの期間を表す目標期間を前記目標情報として取得する前記取得処理を行い、
前記処理部は、
前記現在値と、前記目標値と、前記目標期間と、前記関係式とに基づいて、前記目標期間内での前記目標値の達成に必要な前記滞在時間情報を求める処理を行うことを特徴とする情報処理システム。
【請求項９】
請求項２又は３において、
前記情報取得部は、
前記身体情報と、前記目標情報の前記取得処理を行い、
前記処理部は、
前記身体情報と、前記目標情報と、前記関係式とに基づいて、前記目標情報により表される目標の達成に必要な前記滞在時間情報を求める処理を行うことを特徴とする情報処理システム。
【請求項１０】
請求項９において、
前記情報取得部は、
前記ユーザーの前記体重又は前記体脂肪量の現在値を前記身体情報として取得する前記取得処理を行うとともに、前記ユーザーの前記体重又は前記体脂肪量の目標値、及び前記目標値を達成するまでの期間を表す目標期間を前記目標情報として取得する前記取得処理を行い、
前記処理部は、
前記現在値と、前記目標値と、前記目標期間と、前記関係式とに基づいて、前記目標期間内での前記目標値の達成に必要な前記滞在時間情報を求める処理を行うことを特徴とする情報処理システム。
【請求項１１】
請求項１０において、
前記処理部は、
求められた前記滞在時間情報により表される滞在時間が所与の閾値よりも大きい場合、前記目標値及び前記目標期間の少なくとも一方の修正を指示する修正指示情報を生成する処理を行い、
前記情報取得部が、前記修正指示情報に基づいて修正が行われた前記目標値及び前記目標期間の少なくとも一方の前記取得処理を行った場合に、
前記処理部は、
修正後の前記目標値及び前記目標期間の少なくとも一方に基づいて、前記目標期間内での前記目標値の達成に必要な前記滞在時間情報を再度求める処理を行うことを特徴とする情報処理システム。
【請求項１２】
請求項９乃至１１のいずれかにおいて、
アドバイス期間の開始タイミングにおいて、
前記情報取得部は、
前記身体情報と、前記目標情報の前記取得処理を行い、
前記処理部は、
前記身体情報と、前記目標情報と、前記関係式とに基づいて、前記目標情報により表される目標の達成に必要な前記滞在時間情報を求める処理を行うことを特徴とする情報処理システム。
【請求項１３】
情報の取得処理を行う情報取得部と、
前記情報取得部により取得された情報に基づいて処理を行う処理部と、
を含み、
前記情報取得部は、
ユーザーの脈波情報により表される値が所与の脂肪燃焼ゾーン内の値となる時間を表す滞在時間情報と、前記ユーザーの身体情報と、前記ユーザーの減量に関する目標情報のうちの少なくとも２つの情報の前記取得処理を行い、
前記処理部は、
前記情報取得部が取得した前記少なくとも２つの情報に基づいて、減量に関するアドバイス情報を作成する処理を行うことを特徴とする情報処理装置。
【請求項１４】
情報の取得処理を行う情報取得部と、
前記情報取得部により取得された情報に基づいて処理を行う処理部として、
コンピューターを機能させ、
前記情報取得部は、
ユーザーの脈波情報により表される値が所与の脂肪燃焼ゾーン内の値となる時間を表す滞在時間情報と、前記ユーザーの身体情報と、前記ユーザーの減量に関する目標情報のうちの少なくとも２つの情報の前記取得処理を行い、
前記処理部は、
前記情報取得部が取得した前記少なくとも２つの情報に基づいて、減量に関するアドバイス情報を作成する処理を行うことを特徴とするプログラム。
【請求項１５】
ユーザーの脈波情報により表される値が所与の脂肪燃焼ゾーン内の値となる時間を表す滞在時間情報と、前記ユーザーの身体情報と、前記ユーザーの減量に関する目標情報のうちの少なくとも２つの情報の取得処理と、
前記取得処理により取得した前記少なくとも２つの情報に基づいて、減量に関するアドバイス情報を作成する処理と、
をコンピューターに実行させることを特徴とする情報処理方法。
【手続補正２】
【補正対象書類名】明細書
【補正対象項目名】発明の名称
【補正方法】変更
【補正の内容】
【発明の名称】情報処理システム、情報処理装置、プログラム及び情報処理方法
【手続補正３】
【補正対象書類名】明細書
【補正対象項目名】０００１
【補正方法】変更
【補正の内容】
【０００１】
本発明は、情報処理システム、情報処理装置、プログラム及び情報処理方法等に関する。